(57)【要約】【課題】合成樹脂を使用したプラスチック製のパレットでありながら、任意の寸法、任意の表面積、任意の形状等を有する有用なパレットを容易に且つ迅速に製造することが出来る合成樹脂製パレットを提供する。【解決手段】合成樹脂からなるプラスチック製パレット１であって、少なくとも板部（天板部）２と桁部３とで構成されており、板部２は射出成型されたユニット板部６が複数本所定の間隔で互いに並列して配列されたものであり、桁部３は、合成樹脂が押し出成型若しくは射出成型されて構成されたユニット桁部８が複数本所定の間隔で互いに並列に且つ、当該ユニット板部６の配列方向とは直交する方向に互いに並列に配列されたものであり、当該ユニット板部６と当該ユニット桁部８とは、相互の交錯点に於いて適宜の固定手段９により相互に接合固定されており、且つ当該それぞれのユニット板部６の少なくとも一部には、トラス構造１０が設けられているパレット１。【選択図】図１
2008143527.tif 000002
【特許請求の範囲】
【請求項１】
適宜の合成樹脂からなるプラスチック製パレットであって、当該パレットは少なくとも板部と桁部とで構成されており、
当該板部は射出成型された所定の幅と所定の長さを有する長尺状板状体を予め定められた単位長さに切断されて構成されたユニット板部が複数本所定の間隔で互いに並列して配列されたものであり、
当該桁部は、適宜の合成樹脂が押し出成型若しくは射出成型されて構成された長尺状の棒状体が、予め定められた単位長さに切断されて構成されたユニット桁部が複数本所定の間隔で互いに並列に且つ、当該ユニット板部の配列方向とは直交する方向に互いに並列に配列されたものであり、
当該ユニット板部と当該ユニット桁部とは、相互の交錯点に於いて適宜の固定手段により相互に接合固定されており、
且つ当該それぞれのユニット板部の少なくとも一部には、トラス構造が設けられている事を特徴とするパレット。
【請求項２】
当該パレットに於ける当該ユニット板部が搭載される当該桁部の第１の面とは反対側の当該桁部の第２の面に、当該板部における当該ユニット板部が配列されている方向と同一の方向に、複数の補強部材が配置されている事を特徴とする請求項１に記載のパレット。
【請求項３】
当該補強部材は、適宜の合成樹脂で構成され、又当該補強部材の少なくとも一部に、当該トラス構造が設けられている事を特徴とする請求項１又は２に記載のパレット。
【請求項４】
当該トラス構造は、それぞれのトラス部を形成している外枠部或はリブ部の延長線上に当該ユニット板部と当該ユニット桁部とを接合固定させる為の適宜の固定手段を配置する為の固定手段配置部が設けられている事を特徴とする請求項１乃至３の何れかに記載のパレット。
【請求項５】
当該トラス構造の少なくとも一部は、垂直方向に所定の幅を有する薄幅帯状体で構成されている事を特徴とする請求項４に記載のパレット。
【請求項６】
当該長尺状板状体は、当該トラス構造に設けられている当該固定手段配置部の中で、当該長尺状板状体の長手方向と直交する方向に配置されている複数個の当該固定手段が形成する配列線の間の適宜の部位で切断可能に構成されている事を特徴とする請求項１乃至５の何れかに記載のパレット。
【請求項７】
当該長尺状板状体は、当該長尺状板状体から個々の当該ユニット板部を切断して製造するに際し、当該各ユニット板部の長手方向の長さを少なくとも２５ｍｍ単位で調整することが可能となる様に構成されている事を特徴とする請求項１乃至６の何れかに記載のパレット。
【請求項８】
当該板部の長手方向に沿った少なくとも一方側の側縁部に、当該板部の当該第１の面よりも上方に突出した側壁部が当該板部の本体部と一体的に形成されている事を特徴とする請求項１乃至７の何れかに記載のパレット。
【請求項９】
当該ユニット板部の当該両側に設けられた当該側壁部の間に適宜の厚みを有する補助支持板が設けられている事を特徴とする請求項８に記載のパレット。
【請求項１０】
当該補助支持板は、当該ユニット板部の第２の面側から当該ユニット板部に設けられた当該固定手段配置部を介して挿入される適宜の固定手段によって固定されている事を特徴とする請求項９に記載のパレット。
【発明の詳細な説明】
【技術分野】
【０００１】
本発明は、パレットに関するものであり、特に詳しくは、合成樹脂のみで構成された合成樹脂製のパレットに関するものである。
【背景技術】
【０００２】
従来から、製品或いは原材料等の物品等を運搬、移送する物流システムにおいて当該物品等を搭載して車輌等に積み込に且つそのまま当該物品等を移送するためにパレットが使用されている事は周知である。
【０００３】
その場合、従来の物流システムに於いては、当該パレットは、主として薄板状の木材と角型の木材等を適宜の長さに切断した後、薄板状の木材をユニット板部及び角型の木材をユニット桁部としてそれぞれ使用し重ね合わせて一体的に固定して形成されている。
【０００４】
更に、当該木材を原料とする当該パレットは、ユーザーの要望に応じて、当該パレットの長さ、幅及び厚み等の寸法を自由に且つ容易に製造できる点で大きなメリットがある。
【０００５】
然しながら、当該木材を使用した当該パレットを使用することは、コストが低く押さえられる反面、当該パレットを長期間使用した場合には、その表面が傷つけられ変形したり、ささくれ立って来りする事が頻繁に発生する為、当該パレットに搭載される物品等の表面を傷つけたり、破損する危険が高いと言う欠点を有していると同時に、当該木材を長期間使用することによって、上記破損の他、腐りによる破壊等が発生し使用不能となることが多いと言う問題がある。
【０００６】
更に、当該木材からなるパレットでは、原材料の木材内に予め害虫が住み着いているか、物流中に当該木材内に当該害虫が混入する場合が多く、特に食料品の場合には、当該食料品に害を及ぼすことがあるので、特定の国によっては、当該特定の害虫が当該国内に侵入しないように規制を設けている国もあり、更に当該木材そのものからなるパレットの使用も上記害虫の侵入に貢献することが多く、従って当該木材からなるパレットの使用を禁止する国もあり、更には、所定の食料品に対してその物流中に木材からなるパレットの使用を禁止する国も見られ、物品等の輸出、輸入に大きな制約がある。
【０００７】
従って、木材からなるパレットの使用はコスト面を除いては、物品等の物流面から見て大きな問題を抱えている事になる。
一方、最近では、木製パレットの需要が落ちており、その理由としては、例えば環境保護の観点より木材の使用を制限する動きと、木材の価格の高騰によりコスト面において不利になる点、更には上記した様に、長期使用の場合、木が崩壊してしまう点、使用済みパレットはリサイクル性が無い点、食品流通パレット又は、輸出パレットにおいては木製パレットの使用制限が有るなどという事が挙げられる。
【０００８】
一方、かかる木材を主体とするパレットの欠点を改良する為に、合成樹脂を原材料とするプラスチック製のパレットも使用されている。
処で、プラスチック製のパレットは確かに当該木材による上記欠点を解消するものではあるが、成型上の問題があるため、完全な解決には至っていないのが現状である。
【０００９】
即ち、木製パレットは自由にその大きさを変えて製作出来る点でプラスチック製のパレットには無いメリットが有り、オーダーに応じて自由に寸法を変更して作ることが可能であるのに対し、プラスチック製のパレットでは、それが出来ないと言う問題がある。
【００１０】
つまり、従来使用されているプラスチック製のパレットは、射出成型法によって成型されるものが殆どであり、係る射出成型法（インジェクション成型法）では基本形の１１００ｍｍ×１１００ｍｍのパレットが主流であり大きさに限界の有る成型方法であった。
【００１１】
更には、従来におけるプラスチック製のパレットに於いては、通常射出成型方式（インジェクション成型方式）を採用して成型処理して得られるものであるが、射出成型の為、金型が固定されてしまうので、当該パレットの長さや形状、幅或いは厚み等のそれぞれの寸法の異なるプラスチック製パレットを製造するためには、それぞれ個別に金型を起こし、個別に射出成型することが必要であるため、製造時間や製造コストが増大する他、ユーザーが希望する多種多用なそれぞれ特定のディメンジョンを有するプラスチック製のパレットを容易に且つ迅速に製造することは不可能であった。
【発明の開示】
【発明が解決しようとする課題】
【００１２】
従って、本発明の目的は、これらの問題点を除くためになされたものであって、合成樹脂を使用したプラスチック製のパレットでありながら、当該パレットに関して、任意の寸法、任意の表面積、任意の形状等を有する有用なパレットを容易に且つ迅速に製造することが出来る合成樹脂製パレットを提供するものである。
【００１３】
即ち、本発明に於いては、ユーザーの希望する大きさ（例えば、経方向、横方向、厚み等の寸法）や表面積を有する合成樹脂製のパレットを低コストで且つ迅速に且つ大量に生産すると同時にそれらをユーザーに提供することが可能なパレットを提供するものである。
【課題を解決するための手段】
【００１４】
本発明に係る当該は、上記目的を達成するために、以下に示す様な基本的技術構成を採用するものである。
即ち、本発明に係る第１の態様は、適宜の合成樹脂からなるプラスチック製パレットであって、当該パレットは少なくとも板部と桁部とで構成されており、当該板部は射出成型された所定の幅と所定の長さを有する長尺状板状体を予め定められた単位長さに切断されて構成されたユニット板部が複数本所定の間隔で互いに並列して配列されたものであり、当該桁部は、適宜の合成樹脂が押し出成型或は射出成型されて構成された長尺状の棒状体が、予め定められた単位長さに切断されて構成されたユニット桁部が複数本所定の間隔で互いに並列に且つ、当該ユニット板部の配列方向とは直交する方向に互いに並列に配列されたものであり、当該ユニットと当該ユニット桁部とは、相互の交錯点に於いて適宜の固定手段により相互に接合固定されており、且つ当該それぞれのユニット板部の少なくとも一部には、トラス構造が設けられている事を特徴とするパレットである。
【００１５】
更に本発明の構成を具体的に説明するならば、本発明に係る当該合成樹脂製のプラスチック製のパレットであって、当該板部は適宜の合成樹脂を射出方式により成型された合成樹脂成型体で構成され、又当該桁部は、押し出成型方式或は射出成型方式により成型された合成樹脂成型体で中空状或は中実状に構成された所定の長さを有する長尺状棒体であって、断面が矩形型、角型、円筒型等のものであって、換言すれば、本発明では、当該射出方式により成型された合成樹脂成型体である板部と押し出し成型方式或は射出成型方式により成型された合成樹脂成型体である桁部との複合成型体からなるパレットである。
【発明の効果】
【００１６】
本発明に於ける当該パレットは、上記した様な技術構成を採用しているので、強度が大きく、長期間使用可能な耐久性を具備し、表面が損傷を受けたり、少なくともその一部が腐ることもなく、コストが安く軽量で保管場所も室内に限定されると言う制約がなく、ユーザーの希望する任意の寸法、大きさ、厚み等を有するパレットが任意に大量に供給出来、害虫の侵入がなく、物品の搭載時の表面積を有効に活用出来、汎用性に富み、且つリサイクル性に優れ、又当該パレットを積み重ねた場合の安定性及び積層時の高さを低減する事が可能であると言う優れた作用効果を発揮するものである。
【００１７】
即ち、本発明に於ける当該パレットは、木製パレットの利点とプラスチック製パレットの利点とを生かした複合成形物組付け型パレットであり、その最大の利点は、木製パレットの最大の利点である大きさを自由に変更できる構成を有したプラスチック製パレットである。
【００１８】
本発明に係る当該プラスチック製パレットは、軽くて強いトラス構造を当該板部に採用しており、その利点としては、一般にパレットとして要求される強度とは、重さに耐えること、流通時に破損しない事が挙げられるが、当該板部をトラス構造にする事により動荷重及び静荷重を分散して当該桁部に伝える事が可能となる他、当該桁部は圧縮が掛かる為、中空状若しくは中実状の押出し成形或いは射出成型によるプラスチック製棒状体を使用するものである為、その長さは自由に成形可能であり、且つそれを所定の長さに切断して使用するものである事から、それによって２種類のプラスチックの成形方法に於ける利点つまり、射出成型の利点と押出し成型の利点の双方を同時に且つ最大限に生かせるという効果を有するものである。
【００１９】
本発明に於いては、木製パレットの利点である自由にその大きさを変える事が出来る点を可能としたものであり、トラス構造を有する当該板部を技術的に実施可能な最大の範囲の長さ（例えば、２．５ｍ）で成型し、オーダーに応じて適宜の長さに（例えば１．３５ｍ）カットして使用するものである。
【００２０】
その為、本発明に於ける当該板部は下記する様な特殊の構造を有するトラス構造を有しており、当該板部のカット位置は、トラス構造の端部或はその中間部の位置でカットできる様に構成されているので、１トラス部を例えば５０ｍｍピッチで成型した場合、当該ユニット板部の長手方向の長さを２０乃至２５ｍｍピッチの単位範囲で調整し任意の長さに対応出来るパレットを製作する事が出来る。
【発明を実施するための最良の形態】
【００２１】
以下に、本発明にかかるパレットの具体例の構成を図面を参照しながら詳細に説明する。
即ち、図１は、本発明に係るパレット１の一具体例の構成を示す図であって、図中、適宜の合成樹脂からなるプラスチック製パレット１であって、当該パレット１は少なくとも板部２と桁部３とで構成されており、当該板部２は射出成型された所定の幅と所定の長さを有する長尺状板状体５を予め定められた単位長さに切断されて構成されたユニット板部６が複数本所定の間隔で互いに並列して配列されたものであり、当該桁部３は、適宜の合成樹脂が押し出成型されるか或は射出成型されて構成された長尺状の棒状体７が、予め定められた単位長さに切断されて構成されたユニット桁部８が複数本所定の間隔で互いに並列に且つ、当該ユニット板部６の配列方向とは直交する方向に互いに並列に配列されたものであり、当該ユニット板部６と当該ユニット桁部８とは、相互の交錯点に於いて適宜の固定手段９により相互に接合固定されており、且つ当該それぞれのユニット板部６の少なくとも一部には、トラス構造１０が設けられている事を特徴とするパレット１が示されている。
【００２２】
本発明に於いて使用される当該合成樹脂は特に限定されるものではなく、従来一般的に工業用製品として使用されている例えば、ポリプロピレン、ポリエチレン、ポリアセタール、ポリアミド、ポリエチレンテレフタレート、ポリブチレンテレフタレート、ポリカーボネートの他、ＰＰＳ、ＰＡＩ、ＰＥＤ、ＳＰＳ等を含む通常エンプラと称されている樹脂成分を使用する事が可能である。
【００２３】
本発明に於ける当該パレット１に使用される当該板部２として使用される当該ユニット板部６は、図２に示されている様に且つ後述する様に、適宜の合成樹脂材料を射出成型方法により長尺状に一体成型して形成された長尺状板状体５であって、内部に空間部が形成された適宜の形状のトラス構造１０を有する長尺状板状体５を適宜の長さに切断して形成したものである。
【００２４】
一方、本発明に於ける当該パレット１に使用される当該桁部３として使用される当該ユニット桁部８は、図３に示されている様に適宜の合成樹脂材料を押し出成型方法或いは射出成型方法により長尺状に形成された長尺状棒状体７を適宜の長さに切断して形成したものである。
【００２５】
本発明に於いて使用される当該ユニット板部６の長さ、幅及び厚みは特に限定されるものではなく、ユーザーの要望に応じて任意に設定する事が可能であり、例えば、幅を７０ｍｍ、厚みを１０ｍｍで長さを１５０ｍｍの様に設定する事も出来る。
【００２６】
又、本発明に於いて使用される当該ユニット桁部８の断面形状は特に限定されるものではなく、中実状或は中空状の断面で、その形状は角型、矩形型、円形型、多角形型等、任意の断面形状のものが使用出来、その長さ、幅及び厚みも特に限定されるものではなく、ユーザーの要望に応じて任意に設定する事が可能であり、例えば、断面形状を矩形として、幅を３０ｍｍ、厚みを４０ｍｍで長さを１５０ｍｍの様に設定する事も出来る。
【００２７】
本発明に於ける当該パレット１にあっては、当該桁部３を構成する複数本のユニット桁部８が所定の間隔で互いに並列に配列されていると共に、当該複数本のユニット桁部８の上面に当該板部２を形成する複数本の当該ユニット板部６が所定の間隔で互いに並列に配列されていると共に、当該ユニット桁部８の配列方向とは直交する方向に互いに並列に配列されている。
【００２８】
当該複数本のユニット桁部８と当該ユニット板部６の本数は特に限定されるものではなく、又それぞれの配列間隔も特に限定されるものではなく、ユーザーの要望に応じて任意に設定する事が可能である。
【００２９】
従って、当該ユニット板部６は、例えば、相互の間隔を空けずに相互に密接して隣接配置しても良く、一方当該ユニット桁部８の配列間隔は、好ましくは当該ユニット板部６の配列間隔よりも大きくする事が望ましい。
【００３０】
次に、本発明に於ける当該パレット１にあっては、当該ユニット板部６と当該ユニット桁部８とは、相互の交錯点１１に於いて適宜の固定手段９により相互に接合固定されているものであり、当該固定手段９としては特に限定されるものではないが、例えば、螺子１３を使用する事が可能である。
【００３１】
当該固定手段９である当該螺子１３は、当該ユニット板部６のトラス構造１０に設けられた例えば螺子貫通孔１２０で構成された固定手段配置部１２を介して当該ユニット板部６側から挿入されて当該ユニット桁部８にねじ込まれて当該ユニット板部６と当該ユニット桁部８とを固定する。
【００３２】
当該螺子１３の使用本数も任意である。
本発明に於ける当該パレット１に於ける他の具体例としては、図１に示す様に、当該ユニット板部６が搭載される当該ユニット桁部８の第１の面１４とは反対側の第２の面１５に、当該板部２における当該ユニット板部６が配列されている方向と同一の方向に、複数の補強部材４が配置されているパレット１である。
【００３３】
本具体例では、前記具体例に於けるパレット１をより強固で且つ安定したパレットとする為に補強部材４が付加されたものであり、当該補強部材４は、上記したと同様の合成樹脂で構成されたものであることが望ましく、その厚みや幅は特に限定されるものではないが、その長さは、上記した当該ユニット板部６の長さと一致させる事が望ましい。
【００３４】
更に、当該補強部材４の使用本数及びその配置間隔は、特に限定されるものではないが、当該ユニット板部６の配列間隔よりも大きな配列間隔で配列されている事が好ましい。
【００３５】
当該補強部材は、好ましくは、当該ユニット板部６と同一の構造を有している事も望ましい具体例である。
上記具体例では、従って、当該補強部材４と当該ユニット桁部８との交差点での固定方法は、上記した当該ユニット板部６と当該ユニット桁部８との交差点に於ける固定方法と同一方法を採用する事が出来る。
【００３６】
次に、本発明に於いて使用される当該ユニット板部６の具体的な構成について説明する。
即ち、当該ユニット板部６は、上記した通り、図２或は図４に示す様なトラス構造１０を持った細幅状の板部２を、可能な限り長く形成した金型を使用して射出成型方式で一体成型するものであり、成型後、ユーザーの要望に応じた寸法を有するパレット１を形成するために所定の長さに切断して複数のユニット板部６とするものである。
【００３７】
本発明に於ける当該ユニット板部６が有する当該トラス構造１０の形態は特に限定されるものではないが、例えば、図２及び図４に示す様に、矩形状の外枠２０の中に、複数本のリブ部２１、２２を配置して当該枠内部に複数個の三角形の空間部２３、２４を形成し、且つ当該外枠部２０と当該リブ部２１、２２との間及び当該リブ部２１、２２との間に適宜の形状を有する連結部２６を配置し、更に当該連結部２６のそれぞれに、螺子等９の適宜の固定手段を貫通挿入させる適宜の穴部等からなる当該固定手段配置部１２を設けたものである。
【００３８】
本発明に於いて使用される当該トラス構造１０を形成している当該外枠部２０と当該リブ部２１、２２の少なくとも一部は、垂直方向に所定の幅を有する薄幅帯状体で構成されている事が望ましく、それによって軽量ながら当該ユニット板部６の長手方向に対する曲げ応力に対する抵抗力を増大させると同時に、当該ユニット板部６の表面に対して垂直に掛かる荷重にたいする強度を増大させる効果を有している。
【００３９】
又、本発明に於ける当該ユニット板部６に於ける当該トラス構造１０に於いては、それぞれのトラス部を形成する当該外枠部の延長線上及び当該リブ部２１、２２の延長線上に当該ユニット板部と当該ユニット桁部とを接合固定させる為の適宜の固定手段９を配置する為の固定手段配置部１２が設けられている事が好ましい。
【００４０】
本発明に於ける当該ユニット板部６は、上記した様な構造を有しているものであるから、当該固定手段配置部１２は、当該ユニット板部６の外枠２０内で略矩形状に縦方向及び横方向に規則的に配置されているものである。
【００４１】
尚、上記本発明に係る当該ユニット板部６の強度を更に増強させる必要がある場合には、例えば、図２の点線で示す様に、補助リブ部２５を付加形成する事も可能である。
【００４２】
本発明に於ける当該ユニット板部６は、上記の様に構成された長尺状板状体２を適宜の長さに切断して形成するものであるが、その切断する長さは上記した通りユーザーの要望に応じて任意に設定されるものであり、その切断場所は、図２に示す様に、当該長尺状板状体２の長手方向中心軸線Ｌと直交する線Ｍに沿って切断することが可能であり、好ましくは、当該長尺状板状体２の長手方向中心軸線Ｌに平行する外枠部２０に設けられた第１の当該連結部２６に設けた固定手段配置部１０１とそれに隣接する第２の当該連結部２６に設けた固定手段配置部１０２との間を１トラス構造とすると当該１トラス構造１０の任意の位置Ｓを通る当該長手方向中心軸線Ｌと直交する線Ｍに沿って切断するものである。
【００４３】
当該任意の位置Ｓは当該第１の固定手段配置部１０１と当該第２の固定手段配置部１０２との中間であっても良く、或はその間の何れの位置で有っても良い。
つまり、本発明に於いては、当該長尺状板状体２は、当該トラス構造１０に設けられている当該固定手段配置部１２の中で、当該長尺状板状体２の長手方向と直交する方向に配置されている複数個の当該固定手段９が形成する配列線の間の適宜の部位Ｓで切断可能に構成されている。
【００４４】
従って、仮に、１トラス構造１０が２５ｍｍと設定されている場合には、当該ユニット板部６の長さは２５ｍｍ若しくはそれ以下の単位長さで例えば２０ｍｍ或はそれ以下の単位長さで調整する事が可能となる。
【００４５】
従って、当該板部２も当該桁部３もその長さ方向に自由な長さで切断する事が可能であるから、ユーザーの要望に出来るだけ応じた長さ或は幅を持つパレット１を容易に且つ自由に製造することが可能である。
【００４６】
本発明に於ける当該板部２の長手方向に沿った少なくとも一方側の外枠部２０の側縁部３０に、当該板部２の当該第１の面３２よりも上方に突出した側壁部３１が当該板部２の本体部３３と一体的に形成されている事も望ましい。
【００４７】
係る構成を採用する事によって、当該板部２の当該長手方向に沿って歪を受ける場合の耐久強度を一層向上させる事が可能であると同時に、当該ユニット板部６がパレット１に組み込まれた場合に、図５に示す様に、当該ユニット板部６の当該両側に設けられた当該側壁部３１の間に適宜の厚みを有する補助支持板３４を安定的に配置する事が可能となる。
【００４８】
本発明に於いて、当該ユニット板部６の物品搭載面である当該第１の面３２は、上記したトラス構造９の為、表面の凹凸がかなり大きく、従って、物品の移送に際して当該パレット１に搭載される物品が、柔らかい物体である場合、例えば、野菜、果物類、繊維製品、フィルム、紙類等の場合には、当該物品を破損したり傷付けたり更には変形させてしまうと言う問題があるので、係る場合には、適宜の材料から構成された適宜の厚みを有する当該ユニット板部６と実質的に同じ幅と長さを有する表面が平面或は平面であるが適宜の溝或は凹凸３５が形成された補助支持板３４を併用する事が望ましい。
【００４９】
係る具体例に於いては、図５に示す様に、当該補助支持板３４は、当該ユニット板部６の第２の面側３７から当該ユニット板部６に設けられた当該固定手段配置部１２を介して挿入される適宜の固定手段９によって固定されている事が望ましい。
【００５０】
更に、本発明に於いては、当該ユニット板部６の両側に当該側壁部３１を設けることなく、例えば当該ユニット板部６の外枠部２０や当該固定手段配置部１０１を構成する連結部２６の上縁部の位置を同じ高さに設計しておけば、複数の当該ユニット板部６により形成される当該パレット１の上部表面は面一に形成されるので、当該パレット１の上面に適宜の厚みをもった一枚の板状体を配置する事も可能である。
【００５１】
又、上記した具体例では、当該補助支持板３４は、木材でも合成樹脂でもよいが、破損或は腐食した場合には、容易に新しい補助支持板３４と容易に交換することが可能である。
【００５２】
上記した本発明に係る当該パレット１は、全体が合成樹脂で構成されているので、当該パレット１の少なくとも一部が破損したり、磨耗したりして使用不能となった場合には、その部分だけ取り替えて補修する事が可能であると共に、全体が使用不能となった場合には溶融処理する事が可能であるのでリサイクル性に優れている。
【図面の簡単な説明】
【００５３】
【図１】図１は、本発明に於けるパレットの一具体例の構成を示す斜視図である。
【図２】図２は、本発明に於けるパレットに使用される板部の詳細な構成を説明するための平面図である。
【図３】図３は、本発明に於けるパレットに使用される桁部の斜視図である。
【図４】図４は、本発明に於けるパレットに使用される板部の詳細な構成を説明するための一部拡大斜視図である。
【図５】図５は、本発明に於けるパレットに使用される板部に使用される補助支持板の構成の具体例を説明する断面図である。
【符号の説明】
【００５４】
１．パレット
２．板部
３．桁部
４．補強部材
５．長尺状板状体
６．ユニット板部
７．長尺状の棒状体
８．ユニット桁部
９．固定手段
１０．トラス構造
１１．交錯点
１２．固定手段配置部
１３．螺子
１４．第１の面
１５．第２の面
３１．側壁部
３４．補助支持板
１０１．固定手段配置部
１２０．螺子貫通孔
【図１】
2008143527.tif 000003
【図２】
2008143527.tif 000004
【図３】
2008143527.tif 000005
【図４】
2008143527.tif 000006
【図５】
2008143527.tif 000007